(57)【要約】【課題】利用者が改札機の両側から進行してきた場合であってもスムーズな改札機の通行を案内できる準静電界を利用した改札システムを提供することにある。【解決手段】利用者が両側から通行可能な改札システム１００において、改札機１は、最初にＩＣカード６を捕捉した側の準静電界通信装置５との間の通信を維持するとともに、後からＩＣカード６を捕捉した側の準静電界通信装置５との間の通信を停止し、準静電界送受信装置３は、通信維持、若しくは、通信停止に基づき改札機１との通信の開始有無を認識させる制御コマンドを準静電界通信装置５に送信し、準静電界通信装置５は、制御コマンドに基づき出力部を制御して改札機１との通信の開始有無を認識させる。【選択図】図１
2015201072.tif 000002
【特許請求の範囲】
【請求項１】
利用者が両側から通行可能な改札システムにおいて、
利用者が携帯し、電磁誘導型のＩＣカードとの間で電磁誘導を利用した通信を行うとともに、準静電界を利用した通信により情報を送受信する準静電界通信装置と、
前記準静電界通信装置との間で準静電界を利用した通信を行うとともに、電磁誘導を利用した通信により情報を送受信する準静電界送受信装置と、
前記準静電界送受信装置との間で電磁誘導を利用した通信を行う電磁誘導型のリードライタ装置を有する改札機とを備え、
前記改札機は、最初にＩＣカードを捕捉した側の前記準静電界通信装置との間の通信を維持するとともに、後からＩＣカードを捕捉した側の前記準静電界通信装置との間の通信を停止し、
前記準静電界送受信装置は、通信維持、若しくは、通信停止に基づき前記改札機との通信の開始有無を認識させる制御コマンドを前記準静電界通信装置に送信し、
前記準静電界通信装置は、前記制御コマンドに基づき出力部を制御して前記改札機との通信の開始有無を認識させる
ことを特徴とする改札システム。
【請求項２】
前記準静電界送受信装置は、前記リードライタ装置からコマンド受信した場合に、通信の維持と判断し、通信が開始されたことを認識させる制御コマンドを前記準静電界通信装置に送信することを特徴とする請求項１に記載の改札システム。
【請求項３】
前記改札機は、後からカードを捕捉した側の前記準静電界通信装置との間の通信を停止させるために、電磁誘導を利用した通信の搬送波の停止コマンドを前記リードライタ装置に送信し、前記リードライタ装置は、前記搬送波を停止することを特徴とする請求項１に記載の改札システム。
【請求項４】
前記準静電界送受信装置は、前記リードライタ装置からの搬送波が停止した場合に、通信の停止と判断し、前記改札機との通信が開始されなかったことを認識させる制御コマンドを前記準静電界通信装置に送信することを特徴とする請求項３に記載の改札システム。
【請求項５】
前記準静電界通信装置は、前記準静電界送受信装置から受信した制御コマンドに基づき前記改札機との通信開始の有無の表示を表示部に表示させることを特徴とする請求項１から４のいずれか一項に記載の改札システム。
【請求項６】
前記準静電界通信装置は、前記準静電界送受信装置から受信した制御コマンドに基づき前記改札機との通信開始の有無の確認音を音声出力部から出力させることを特徴とする請求項１から４のいずれか一項に記載の改札システム。
【請求項７】
前記準静電界通信装置は、前記準静電界送受信装置から受信した制御コマンドに基づき前記改札機との通信開始の有無の振動を振動発生部から発生させることを特徴とする請求項１から４のいずれか一項に記載の改札システム。
【請求項８】
電磁誘導を利用した通信を行う電磁誘導通信部と、
準静電界を利用した通信を行う準静電界通信部と、
利用者に改札機との通信の開始有無を認識させる出力部と、
通信装置全体を制御する演算制御部と、を備え、
前記演算制御部は、
前記電磁誘導通信部を制御して電磁誘導型のＩＣカードから情報を読み出す電磁誘導通信制御部と、
前記準静電界通信部を制御して前記情報を前記改札機に設けられた準静電界送受信装置に送信する準静電界通信制御部と、
前記準静電界送受信装置から制御コマンドを受信した場合に前記出力部を制御して前記改札機との通信の開始有無を認識させる制御コマンド実行部と、
を有することを特徴とする通信装置。
【発明の詳細な説明】
【技術分野】
【０００１】
本発明は、準静電界を利用した改札システム及び通信装置に関する。
【背景技術】
【０００２】
従来、駅の改札機における改札システムとして、例えば、改札機に設けられたデータ読出書込器内のコイルと、ＩＣカード内のコイルとの間における電磁誘導により情報を送受信するものが知られている。
【０００３】
また、近年、送受信用の電極間に介在する人体を媒質としたコンデンサの作用により、受信用の電極に生じる静電誘導現象を用いて情報を送受信するようになされた改札システムが開示されている（特許文献１及び２参照）。
特に、特許文献１及び２における実施の形態では、所定の駅に設けられた改札機と、改札機の利用者が携帯するカード形状でなる可搬型の装置との間で、準静電界を利用した通信を行う改札システムが開示されている。
【０００４】
このような改札システムでは、従来のように、ＩＣカードを改札機の送受信部に翳すことなく、改札機を通過できるので、例えば、大量の荷物を抱えた利用者や、車椅子を使用した利用者等、ＩＣカードを改札機の送受信部に翳すことが難しい利用者が改札機を通過する場合に対して非常に有効である。
【０００５】
また、両側から通行が可能な従来の改札機では、利用者が改札機の両側から進行してきた場合、最初に改札機の送受信部にＩＣカードを翳した利用者のみが通行可能となり、他方の利用者は通行不可となる。
この際、従来の改札機では、ＩＣカードを改札機の送受信部に翳す際、通行可能な利用者側の送受信部は、例えば、青色に発光した状態が維持されているとともに、ＩＣカードを翳すと、「ピッ」といった確認音や、通行可能であることを認識させる表示が出力され、一方、通行不可な利用者側の送受信部は消灯した状態になり、確認音も出力されない。
このため、改札機の両側から進行してきた双方の利用者は、ＩＣカードを改札機の送受信部に翳す際に、改札機の送受信部の発光の状態を見たり、あるいは、確認音を聞くことにより、自らの通信の有無を認識し、通行の可否を認知することができる。
【先行技術文献】
【特許文献】
【０００６】
【特許文献１】特開２００４−２８２７３３号公報
【特許文献２】特開２０１２−１９１５３５号公報
【発明の概要】
【発明が解決しようとする課題】
【０００７】
しかしながら、準静電界を利用した通信に用いる準静電界受信電極は、改札機からノイズの影響を受け易いため、また、準静電界を利用した通信は、通信従来の電磁誘導を利用した通信と比較して通信時間が長くなる可能性があるため、当該準静電界受信電極は、当該改札機からある程度離れた位置に設置する必要性がある。
このため、準静電界を利用した改札システムでは、従来の改札システムとは異なり、改札機に近接する前に通信が開始されてしまうため、改札機側で通行可否の表示、もしくは、確認音を出力させた場合であっても、利用者側で自らの通信の有無を認識することが難しくなる。
特に、弱視等の視覚障害を有する利用者や、車椅子を使用した利用者の場合、ある程度離れた位置にある改札機の送受信部の表示（発光等）を視認することが難しく、スムーズな改札機の通行を妨げるおそれがあるといった問題点があった。
【０００８】
本発明の課題は、利用者が改札機の両側から進行してきた場合であってもスムーズな改札機の通行を案内できる準静電界を利用した改札システム及び通信装置を提供することにある。
【課題を解決するための手段】
【０００９】
上記課題を達成するため、この発明は、
利用者が両側から通行可能な改札システムにおいて、
利用者が携帯し、電磁誘導型のＩＣカードとの間で電磁誘導を利用した通信を行うとともに、準静電界を利用した通信により情報を送受信する準静電界通信装置と、
前記準静電界通信装置との間で準静電界を利用した通信を行うとともに、電磁誘導を利用した通信により情報を送受信する準静電界送受信装置と、
前記準静電界送受信装置との間で電磁誘導を利用した通信を行う電磁誘導型のリードライタ装置を有する改札機とを備え、
前記改札機は、最初にＩＣカードを捕捉した側の前記準静電界通信装置との間の通信を維持するとともに、後からＩＣカードを捕捉した側の前記準静電界通信装置との間の通信を停止し、
前記準静電界送受信装置は、通信維持、若しくは、通信停止に基づき前記改札機との通信の開始有無を認識させる制御コマンドを前記準静電界通信装置に送信し、
前記準静電界通信装置は、前記制御コマンドに基づき出力部を制御して前記改札機との通信の開始有無を認識させるようにしたものである。
【００１０】
改札機からある程度離れた位置に設置された準静電界送受信電極上であっても、利用者が携帯している準静電界通信装置の出力部からの出力により改札機との通信の開始有無を容易に認識できるので、利用者が改札機の両側から進行してきた場合であってもスムーズな改札機の通行ができる。
【００１１】
また、望ましくは、前記準静電界送受信装置は、前記リードライタ装置からコマンド受信した場合に、通信の維持と判断し、改札機との通信が開始されたことを認識させる制御コマンドを前記準静電界通信装置に送信するようにしたものである。
準静電界送受信装置は、リードライタ装置からコマンド受信により通信の維持を判断できるので、改札機との通信が開始されたことを認識させる制御コマンドを前記準静電界通信装置に送信することができ、改札機からある程度離れた位置に設置された準静電界送受信電極上であっても、利用者が携帯している準静電界通信装置の出力部からの出力により改札機との通信が開始されたことを容易に認識できるので、利用者が改札機の両側から進行してきた場合であってもスムーズな改札機の通行を案内できる。
【００１２】
また、望ましくは、前記改札機は、後からカードを捕捉した側の前記準静電界通信装置との間の通信を停止させるために、電磁誘導を利用した通信の搬送波の停止コマンドを前記リードライタ装置に送信し、前記リードライタ装置は、前記搬送波を停止するようにしたものである。
リードライタ装置は、改札機からの搬送波の停止コマンドにより搬送波の送信を停止できるので、準静電界送受信装置に、通信の停止を判断させて改札機との通信が開始されなかったことを認識させる制御コマンドを前記準静電界通信装置に送信することができ、改札機からある程度離れた位置に設置された準静電界送受信電極上であっても、利用者が携帯している準静電界通信装置の出力部からの出力により改札機との通信が開始されなかったことを容易に認識できるので、利用者が改札機の両側から進行してきた場合であってもスムーズな改札機の通行を案内できる。
【００１３】
また、望ましくは、前記準静電界送受信装置は、前記リードライタ装置からの搬送波が停止した場合に、通信の停止と判断し、改札機との通信が開始されなかったことを認識させる制御コマンドを前記準静電界通信装置に送信するようにしたものである。
準静電界送受信装置は、リードライタ装置からの搬送波の停止により通信の停止を判断できるので、通行不可を認識させる制御コマンドを前記準静電界通信装置に送信することができ、改札機からある程度離れた位置に設置された準静電界送受信電極上であっても、利用者が携帯している準静電界通信装置の出力部からの出力により改札機との通信が開始されなかったことを容易に認識できるので、利用者が改札機の両側から進行してきた場合であってもスムーズな改札機の通行を案内できる。
【００１４】
また、望ましくは、前記準静電界通信装置は、前記準静電界送受信装置から受信した制御コマンドに基づき改札機との通信開始の有無の表示を表示部に表示させるようにしたものである。
出力部である表示部に受信した制御コマンドに基づき改札機との通信の開始有無の表示させることができるので、改札機からある程度離れた位置に設置された準静電界送受信電極上であっても、利用者が携帯している準静電界通信装置の表示部の表示により改札機との通信の開始有無を容易に認識できるので、利用者が改札機の両側から進行してきた場合であってもスムーズな改札機の通行を案内できる。
【００１５】
また、望ましくは、前記準静電界通信装置は、前記準静電界送受信装置から受信した制御コマンドに基づき改札機との通信の開始有無の確認音を音声出力部から出力させるようにしたものである。
出力部である音声出力部から受信した制御コマンドに基づき改札機との通信の開始有無の音声を出力させることができるので、改札機からある程度離れた位置に設置された準静電界送受信電極上であっても、利用者が携帯している準静電界通信装置の音声出力部からの音声出力により改札機との通信の開始有無を容易に認識できるので、利用者が改札機の両側から進行してきた場合であってもスムーズな改札機の通行を案内できる。
【００１６】
また、望ましくは、前記準静電界通信装置は、前記準静電界送受信装置から受信した制御コマンドに基づき改札機との通信の開始有無の振動を振動発生部から発生させるようにしたものである。
出力部である振動発生部から受信した制御コマンドに基づき改札機との通信の開始有無の振動を発生させることができるので、改札機からある程度離れた位置に設置された準静電界送受信電極上であっても、利用者が携帯している準静電界通信装置の振動発生部の振動により改札機との通信の開始を容易に認識できるので、利用者が改札機の両側から進行してきた場合であってもスムーズな改札機の通行を案内できる。
【００１７】
また、本出願の他の発明は、
電磁誘導を利用した通信を行う電磁誘導通信部と、
準静電界を利用した通信を行う準静電界通信部と、
利用者に改札機との通信の開始有無を認識させる出力部と、
通信装置全体を制御する演算制御部と、を備え、
前記演算制御部は、
前記電磁誘導通信部を制御して電磁誘導型のＩＣカードから情報を読み出す電磁誘導通信制御部と、
前記準静電界通信部を制御して前記情報を前記改札機に設けられた準静電界送受信装置に送信する準静電界通信制御部と、
前記準静電界送受信装置から制御コマンドを受信した場合に前記出力部を制御して前記改札機との通信の開始有無を認識させる制御コマンド実行部と、
を有するようにしたものである。
【００１８】
改札機からある程度離れた位置に設置された準静電界送受信電極上であっても、利用者が携帯している準静電界通信装置の出力部からの出力により改札機との通信の開始有無を容易に認識できるので、利用者が改札機の両側から進行してきた場合であってもスムーズな改札機の通行を案内できる。
【発明の効果】
【００１９】
本発明によれば、利用者が両側から通行可能な改札システムにおいて、改札機は、最初にＩＣカードを捕捉した側の準静電界通信装置との間の通信を維持するとともに、後からＩＣカードを捕捉した側の前記準静電界通信装置との間の通信を停止し、準静電界送受信装置は、通信維持、若しくは、通信停止に基づき通信の開始有無を認識させる制御コマンドを準静電界通信装置に送信し、準静電界通信装置が、制御コマンドに基づき出力部を制御して改札機との通信の開始有無を認識させることにより、改札機からある程度離れた位置に設置された準静電界送受信電極上であっても、利用者が携帯している準静電界通信装置の出力部からの出力により改札機との通信の開始有無を容易に認識できるので、利用者が改札機の両側から進行してきた場合であってもスムーズな改札機の通行を案内できる。
【図面の簡単な説明】
【００２０】
【図１】本実施の形態に係る準静電界を利用した改札システムの構成の一例を示す概略構成図である。
【図２】本実施の形態に係る準静電界を利用した通信装置の構成の一例を示す構成ブロック図である。
【図３】準静電界を利用した通信装置の動作の一例を示すフローチャートである。
【図４】改札機の通行可能時の各装置間の通信データの流れの一例を示すシーケンス図である。
【図５】改札機の通行不可時の各装置間の通信データの流れの一例を示すシーケンス図である。
【発明を実施するための形態】
【００２１】
［１．構成の説明］
以下、図面を参照しつつ、本発明の実施形態である準静電界を利用した改札システムを詳細に説明する。但し、発明の範囲は、図示例に限定されない。
【００２２】
（実施形態）
本発明の実施形態の準静電界を利用した改札システムの構成について図１及び図２を参照して説明する。図１は、準静電界を利用した改札システムの一例を示す説明図であり、図２は、当該改札システムを構成する準静電界を利用した通信装置（準静電界通信装置）の機能をブロック図として表した概略構成図である。
図１に示すように、準静電界を利用した改札システム１００（以下、単にシステム１００と呼ぶ。）は、改札機１、電磁誘導型のリードライタ装置２、準静電界送受信装置３、準静電界送受信電極４、準静電界通信装置５及び電磁誘導型のＩＣカード６を有する。
改札機１は、従来の電磁誘導型のリードライタ装置２を備え、利用者が両側から通行可能な改札機である。
準静電界送受信装置３は、準静電界送受信電極４を介した準静電界を利用した通信により、準静電界通信装置５との間で情報の送受信を行うとともに、リードライタ装置２を介して、改札機１との間で情報の送受信を行う。
準静電界通信装置５は、電磁誘導を利用した通信により、ＩＣカード６の間で情報の送受信を行うとともに、準静電界送受信電極４を介した準静電界を利用した通信により、準静電界送受信装置３との間で情報の送受信を行う。
【００２３】
また、図２に示すように、システム１００を構成する準静電界通信装置５は、記憶部２１、電磁誘導通信部２２、準静電界通信部２３、表示部２４、音声出力部２５、振動発生部２６、電磁誘導通信制御部２７、準静電界通信制御部２８及び制御コマンド実行部２９を有する。
【００２４】
また、電磁誘導通信制御部２７、準静電界通信制御部２８及び制御コマンド実行部２９は、演算制御部５０によってその機能が実現される。具体的には、演算制御部５０は、ＣＰＵ、ＲＯＭ、ＲＡＭ等を有しており、ＲＡＭの作業領域に展開されたＲＯＭ等に記憶された各種プログラムデータとＣＰＵとの協働により、記憶部２１、電磁誘導通信部２２、準静電界通信部２３、表示部２４、音声出力部２５及び振動発生部２６を統括制御するとともに、電磁誘導通信制御部２７、準静電界通信制御部２８及び制御コマンド実行部２９における処理を実行して各部の機能を実現する。
【００２５】
図２の記憶部２１は、演算制御部５０（電磁誘導通信制御部２７、準静電界通信制御部２８及び制御コマンド実行部２９）から読み書き可能に情報を記憶する。例えば、記憶部２１は、ＨＤＤ、半導体メモリ等であって、電磁誘導通信制御部２７で読み出されたＩＣカード６の情報等が記憶されている。
電磁誘導通信部２２は、演算制御部５０の制御により、準静電界通信装置５に挿入されたＩＣカード６との間で、電磁誘導を利用した通信を行うものであり、例えば、ＩＣカード６に電力供給ための微弱電波を放射するとともに、ＩＣカード６により変調された微弱電波を受信するアンテナと、このような電磁誘導を利用した通信を制御する制御回路とから構成される。
準静電界通信部２３は、演算制御部５０の制御により、準静電界送受信電極４との間で準静電界を利用した通信ＣＭ２１、ＣＭ２２を行うものであり、例えば、人体の表面に存在する準静電界ＥＦ２１、ＥＦ２２を利用して準静電界送受信電極４との間で通信ＣＭ２１、ＣＭ２２を行うアンテナと、このような準静電界を利用した通信を制御する制御回路とから構成される。
表示部２４は、演算制御部５０（電磁誘導通信制御部２７、準静電界通信制御部２８及び制御コマンド実行部２９）から出力された表示制御信号に基づいた情報や画像を表示画面上に表示する。例えば、表示部２４は、利用者に通信の可否を認識させるための表示をするＬＥＤやＬＣＤ、有機ＥＬ素子を用いたフラットパネルディスプレイである。
音声出力部２５は、演算制御部５０（電磁誘導通信制御部２７、準静電界通信制御部２８及び制御コマンド実行部２９）から出力された音声出力制御信号に基づいた音声、エラー音、確認音等を出力するスピーカやブザーである。
振動発生部２６は、演算制御部５０（電磁誘導通信制御部２７、準静電界通信制御部２８及び制御コマンド実行部２９）から出力された振動発生制御信号に基づいた振動を発生させるバイブレータである。
【００２６】
電磁誘導通信制御部２７は、電磁誘導通信部２２を制御して電磁誘導を利用した通信を行い、準静電界通信装置５に挿入されたＩＣカード６から情報を読み出し、読み出した情報を記憶部２１や演算制御部５０を構成するＲＡＭ等に記憶させる。
準静電界通信制御部２８は、準静電界通信部２３を制御して準静電界を利用した通信を行い、準静電界送受信電極４を介して改札機１に設けられた準静電界送受信装置３に対して、情報を送信するとともに、準静電界送受信装置３との間でその他のコマンド受信、応答の送信等を準静電界送受信電極４を介して準静電界を利用した通信で行う。
制御コマンド実行部２９は、準静電界送受信装置３から制御コマンドを受信した場合に出力部である表示部２４、音声出力部２５、若しくは、振動発生部２６を制御して、利用者に表示、音声出力、若しくは、振動の発生によって改札機１との通信の開始有無を認識させる。
【００２７】
このような準静電界通信装置５にＩＣカード６を挿入し保持して電磁誘導通信部２２がＩＣカード６から情報を読み出し可能にするとともに、準静電界通信部２３が、図１における人体の表面に存在する準静電界ＥＦ２１、ＥＦ２２の内部に位置するように人体に装着、例えば、準静電界通信部２３を内側にして衣服のポケットに入れる等により、準静電界通信装置５が、電磁誘導を利用した通信でＩＣカード６から情報を読み出し、図１に示すように、準静電界を利用した通信ＣＭ２１、ＣＭ２２で、準静電界受信電極４を介して準静電界送受信装置３に情報を送信することができる。
なお、図１に示す改札システムにおいて、改札機１は、電磁誘導型のリードライタ装置２を有する従来の電磁誘導型の改札機であり、準静電界送受信装置３は、電磁誘導型のリードライタ装置２との間で電磁誘導を利用した通信を行い、準静電界通信装置５から受信した情報の送受信を行うものである。
【００２８】
［２．準静電界を利用した改札システムの動作の説明］
ここで、本発明の実施形態における準静電界を利用した改札システム１００の具体的な動作の説明を図３〜図５を用いて詳細に行う。なお、図３は、準静電界を利用した通信装置（準静電界通信装置５）の動作の一例を示すフローチャートであり、図４は、改札機１との通信を開始した側の準静電界通信装置５から改札機１までの情報のやり取りを示すシーケンス図であり、図５は、改札機１との通信を開始しなかった側の準静電界通信装置５から改札機１までの情報のやり取りを示すシーケンス図である。
【００２９】
図３のフローチャートに示すように、電磁誘導通信制御部２７は、電磁誘導通信部２２を制御して電磁誘導を利用した通信を行い、準静電界通信装置５に挿入されたＩＣカード６から情報を読み出して記憶部２１や演算制御部５０を構成するＲＡＭに記憶させる（ステップＳ１）。
すなわち、図４に示すシーケンス図において、準静電界通信装置５は、電磁誘導を利用した通信により、ＩＣカード６に対してカード捕捉コマンドＣＭ４１を送信し、ＩＣカード６から送信される所定のパラメータを含む情報である応答ＲＳ４１を受信する。また、図５に示すシーケンス図においても同様の動作となる。
カード捕捉コマンドＣＭ４１は、電磁誘導を利用した通信をトリガーとして送信されることに限定されず、準静電界通信装置５の内部に、挿入検知センサやメカニカルスイッチ等の検知部を設け、当該検知部の起動をトリガーとして送信することも可能である。
【００３０】
そして、図３のフローチャートに示すように、準静電界通信制御部２８は、準静電界通信部２３を制御して準静電界受信電極４に準静電界を利用した通信を行い、準静電界受信電極４を介して改札機１に設けられた準静電界送受信装置３に対して、情報を送信する（ステップＳ２）。
【００３１】
また、準静電界通信制御部２８は、準静電界通信部２３を制御して、準静電界送受信装置３との間でその他のコマンド受信、応答の送信等をする際に準静電界受信電極４を介して準静電界を利用した通信を行うとともに、準静電界送受信装置３から制御コマンドを受信したか否かを判断し（ステップＳ３）、制御コマンドを受信したと判断した場合（ステップＳ３：Ｙｅｓ）、受信した制御コマンドを実行する（ステップＳ４）。
【００３２】
すなわち、図４に示すシーケンス図において、改札機１は、リードライタ装置２を介して電磁誘導を利用した通信により、準静電界送受信装置３に対してカード捕捉コマンドＣＭ４２を送信し、準静電界送受信装置３は、準静電界受信電極４を介した準静電界を利用した通信により、準静電界通信装置５に対して、改札機１から受信したカード捕捉コマンドＣＭ４２をカード捕捉コマンドＣＭ４３として転送する。
このようなカード捕捉コマンドＣＭ４３を受信した準静電界通信装置５は、準静電界を利用した通信により、準静電界受信電極４を介して準静電界送受信装置３に対して、情報を応答ＲＳ４２として送信する。この際、準静電界送受信装置３は、ＩＣカード６を捕捉したことを記憶する処理ＰＲ４１を行う。そして、準静電界送受信装置３は、リードライタ装置２を介して、改札機１に対して、準静電界通信装置５から受信した応答ＲＳ４２を応答ＲＳ４３として転送する。
【００３３】
そして、図４に示すシーケンス図において、改札機１は、最初に応答ＲＳ４３を受信した場合、改札機１の一方の側から進行してきた利用者が携帯するＩＣカード６の捕捉を確認して、シーケンス継続を判断する処理ＰＲ４２を行う。
その後、改札機１は、リードライタ装置２を介して電磁誘導を利用した通信により、準静電界送受信装置３に対してＩＣカードの認証等を行うコマンドＣＭ４３を送信する。
【００３４】
このようなコマンドＣＭ４３を受信した準静電界送受信装置３は、シーケンス継続を確認する処理ＰＲ４３を行うとともに、準静電界受信電極４を介した準静電界を利用した通信により、準静電界通信装置５に対して、利用者に改札機１との通信の開始の認識をさせるための制御コマンドＣＭ４４を送信する処理ＰＲ４４を行う。
【００３５】
最後に、利用者に通信の開始をさせるための制御コマンドＣＭ４４を受信した準静電界通信装置５（制御コマンド実行部２９）は、出力部である表示部２４、音声出力部２５、若しくは、振動発生部２６を制御して、利用者に表示、音声出力、若しくは、振動の発生によって改札機１との通信が開始されたことを認識させる。
例えば、表示部２４であるＬＥＤを点灯させる、点灯しているＬＥＤの色を変える（例えば、赤から緑に点灯色を変える）ことにより、利用者に改札機１との通信が開始されたことを認識させる。
また、例えば、音声出力部２５から利用者に改札機１との通信が開始されたことを認識させるための、「ピッ」といった確認音を出力させる。
さらに、例えば、振動発生部２６で利用者に改札機１との通信が開始されたことを認識させるための、「ブルブル」といった振動を発生させる。
その後、改札機１との通信が開始された後、改札機の表示部に通行可否を認識させる表示が出力され、利用者は改札機通過時に改札機の通行可否を認知する。
【００３６】
一方、図５に示すシーケンス図において、改札機１は、応答ＲＳ５３を受信した時点で、既に、改札機１の反対側でＩＣカード６の捕捉を確認していた場合、シーケンス停止、言い換えれば、後から捕捉されたＩＣカード６を携帯する利用者の改札機１との通信不可を判断する処理ＰＲ５２を行う。
その後、改札機１は、リードライタ装置２に対して電磁誘導を使用した通信の搬送波の送信を停止させるコマンドＣＭ５３を送信する。
このようなコマンドＣＭ５３を受信したリードライタ装置２は、電磁誘導を使用した通信の搬送波の送信を停止する処理ＰＲ５３を行う。
【００３７】
このような電磁誘導を使用した通信の搬送波の送信が停止された場合、言い換えれば、当該搬送波を受信できなくなった場合、準静電界送受信装置３は、シーケンス停止を確認する処理ＰＲ５４を行うとともに、準静電界受信電極４を介した準静電界を利用した通信により、準静電界通信装置５に対して、利用者に改札機１との通信が開始されなかったことの認識をさせるための制御コマンドＣＭ５４を送信する処理ＰＲ５５を行う。
【００３８】
最後に、利用者に改札機１との通信が開始されなかったことの認識をさせるための制御コマンドＣＭ５４を受信した準静電界通信装置５（制御コマンド実行部２９）は、出力部である表示部２４、音声出力部２５、若しくは、振動発生部２６を制御して、利用者に表示、音声出力、若しくは、振動の発生によって改札機１との通信が開始されなかったことを認識させる。
例えば、表示部２４であるＬＥＤを点灯させる、点灯しているＬＥＤの色を変える（例えば、緑から赤に点灯色を変える）ことにより、利用者に改札機１との通信が開始されなかったことを認識させる。
また、例えば、音声出力部２５から利用者に改札機１との通信が開始されなかったことを認識させるための、「ピーッ」といったエラー音を出力させる。
さらに、例えば、振動発生部２６で利用者に改札機１との通信が開始されなかったことを認識させるための、「ブブブブブッ」といった振動を発生させる。
【００３９】
以上のように、利用者が両側から通行可能な改札システムにおいて、改札機１は、最初にＩＣカードを捕捉した側の準静電界通信装置５との間の通信を維持するとともに、後からＩＣカードを捕捉した側の前記準静電界通信装置５との間の通信を停止し、準静電界送受信装置３は、通信維持、若しくは、通信停止に基づき改札機１との通信の開始有無を認識させる制御コマンドを準静電界通信装置５に送信し、準静電界通信装置５が、制御コマンドに基づき出力部を制御して改札機１との通信の開始有無を認識させることにより、改札機１からある程度離れた位置に設置された準静電界送受信電極４上であっても、利用者が携帯している準静電界通信装置５の出力部からの出力により改札機１の通信の開始有無を容易に認識できるので、利用者が改札機１の両側から進行してきた場合であってもスムーズな改札機１の通行ができる。
【００４０】
なお、本発明の実施形態等の説明に際しては、表示部２４については、特に説明していないが、準静電界通信装置５にＩＣカード６を挿入し、電磁誘導通信部２２とＩＣカード６との間の通信可能になった場合、あるいは、準静電界通信部２３と準静電界送受信装置３との間の通信可能になった場合、演算制御部５０は、表示部２４に当該通信可能状態である旨を表示させる。例えば、演算制御部５０が、表示部２４であるＬＥＤを点灯させる、点灯しているＬＥＤの色を変えることにより、利用者に通信可能になったことを認識させても良い。
【００４１】
また、準静電界通信装置５にＩＣカード６を挿入し、電磁誘導通信部２２とＩＣカード６とが通信可能になった場合、あるいは、準静電界通信部２３と準静電界送受信装置３との間の通信可能になった場合、演算制御部５０は、音声出力部２５を制御して、音声案内や確認音を出力させても良い。勿論、演算制御部５０は、振動発生部２６を制御して通信可能を認識させる振動を発生させても良い。
【００４２】
さらに、電磁誘導通信部２２、あるいは、準静電界通信部２３による通信中に、演算制御部５０は、表示部２４に通信中である旨の表示をさせる。例えば、演算制御部５０が、表示部２４であるＬＥＤを点滅させることにより、利用者に正常にデータ通信を行っていることを認識させても良い。
また、電磁誘導通信部２２、あるいは、準静電界通信部２３による通信中に、演算制御部５０は、音声出力部２５を制御して、通信中である旨の音声案内や確認音を出力させても良い。勿論、演算制御部５０は、振動発生部２６を制御して通信中であることを認識させる振動を発生させても良い。
【００４３】
また、図１に示した改札機１は、従来の電磁誘導型のリードライタ装置２を備えた改札機１を例示したが、これにかかわらず、従来の電磁誘導型のリードライタ装置２を設けない、準静電界を利用した通信に専用化された改札機（準静電界通信専用の改札機）であってもよい。
【符号の説明】
【００４４】
１  改札機
２  リーダライタ装置
３  準静電界送受信装置
４  準静電界送受信電極
５  準静電界通信装置
６  ＩＣカード
２１  記憶部
２２  電磁誘導通信部
２３  準静電界通信部
２４  表示部（出力部）
２５  音声出力部（出力部）
２６  振動発生部（出力部）
２７  電磁誘導通信制御部
２８  準静電界通信制御部
２９  制御コマンド実行部
５０  演算制御部
１００  システム
【図１】
2015201072.tif 000003
【図２】
2015201072.tif 000004
【図３】
2015201072.tif 000005
【図４】
2015201072.tif 000006
【図５】
2015201072.tif 000007